(57)【要約】      （修正有）【課題】医用画像を表示領域に配置する操作を行っている間にレイアウトの変更を可視化し、これにより医用画像をレイアウトしたりレイアウト枠の分割数及びサイズを変更する操作を容易とし、操作者の負担を軽減することが可能な画像表示装置及び画像表示方法を提供する。【解決手段】マウスによる指示位置（領域区分）と使用するレイアウト枠３１ｂと医用画像の配置位置とを対応付けてレイアウト情報として予め記憶装置に保持する。マウスによって選択されたサムネイル画像が医用画像表示領域５２内にドラッグ操作されると、ＣＰＵはマウスカーソル４の位置に応じたレイアウト枠３１ｂをレイアウト情報に基づいて表示する。続けてドロップ操作が行われるとマウスカーソル４の指示位置に応じたコマにレイアウト枠３１ｂに応じたサイズで選択中の医用画像を配置する。【選択図】図８
2015208602.tif 000002
【特許請求の範囲】
【請求項１】
複数の医用画像を取得する医用画像取得部と、
前記複数の医用画像のサムネイル画像を選択可能に表示するサムネイル画像表示領域と前記医用画像を表示する医用画像表示領域とを表示画面上に形成する表示部と、
前記サムネイル画像の選択操作及び医用画像の配置位置を指示する操作である配置位置指示操作を入力する操作入力部と、
前記操作入力部による前記医用画像表示領域内の指示位置に応じたレイアウト枠及び前記医用画像の配置位置を定義するレイアウト情報を予め保持する記憶部と、
前記操作入力部の操作によりサムネイル画像を選択することで前記医用画像表示領域に表示する画像を選択する画像選択部と、
前記操作入力部による画像選択操作後の配置位置指示操作中に、前記記憶部に記憶されたレイアウト情報に従って前記医用画像表示領域に前記レイアウト枠を表示するレイアウト枠表示部と、
前記操作入力部による配置位置指示操作に応じて、前記医用画像表示領域内の指示位置に前記レイアウト枠に応じたサイズで前記医用画像を配置する画像配置部と、
を備えることを特徴とする画像表示装置。
【請求項２】
前記操作入力部はドラッグ操作により前記サムネイル画像の選択と医用画像の配置位置を指示し、ドロップ操作により前記医用画像の配置位置を決定することを特徴とする請求項１に記載の画像表示装置。
【請求項３】
前記記憶部は複数のレイアウト情報を保持し、
前記レイアウト枠表示部は、前記操作入力部の操作量に応じて適用するレイアウト情報を切り替えて前記医用画像表示領域に前記レイアウト枠を表示し、
前記画像配置部は、前記操作入力部による前記医用画像の配置位置指示操作に応じて、前記医用画像表示領域内の指示位置に前記レイアウト枠に応じたサイズで前記医用画像を配置することを特徴とする請求項１に記載の画像表示装置。
【請求項４】
前記レイアウト枠が表示された状態で前記操作入力部により隣接するレイアウト枠の交点または境界に対して所定の操作が行われると、前記交点または境界付近にレイアウト枠を増設するレイアウト枠増設処理部を更に備えることを特徴とする請求項１に記載の画像表示装置。
【請求項５】
前記レイアウト枠が表示された状態で前記操作入力部により前記レイアウト枠の交点または境界に対して所定の操作が行われると、前記交点または境界に隣接するレイアウト枠を結合するレイアウト枠結合処理部を更に備え、
前記画像配置部は、結合された前記レイアウト枠に対応するサイズで該レイアウト枠内に医用画像を配置することを特徴とする請求項１に記載の画像表示装置。
【請求項６】
コンピュータが、
複数の医用画像を取得するステップと、
前記複数の医用画像のサムネイル画像を選択可能に表示するサムネイル画像表示領域と前記医用画像を表示する医用画像表示領域とを表示画面上に形成するステップと、
前記サムネイル画像の選択操作及び医用画像の配置位置を指示する操作である配置位置指示操作を入力するステップと、
サムネイル画像の選択操作により前記医用画像表示領域に表示する画像を選択するステップと、
画像選択操作後の配置位置指示操作中に、記憶部に記憶されたレイアウト情報に従って前記医用画像表示領域に前記レイアウト枠を表示するステップと、
配置位置指示操作に応じて、前記医用画像表示領域内の指示位置に前記レイアウト枠に応じたサイズで前記医用画像を配置するステップと、
を含む処理を行うことを特徴とする画像表示方法。
【発明の詳細な説明】
【技術分野】
【０００１】
本発明は、画像表示装置及び画像表示方法に係り、詳細には、医用画像のレイアウトの変更に関する。
【背景技術】
【０００２】
従来より、ＣＲ（Computed Radiography）、ＣＴ（Computed Tomography），ＭＲＩ（Magnetic Resonance Imaging）といった各種の画像撮影装置で生成した画像データを保管、閲覧、管理するためにＰＡＣＳ（Picture Archiving and Communication System）等の医用画像管理システムが利用されている。このような医用画像を表示する装置では、操作者が閲覧し易い表示形式で複数の医用画像をレイアウトする技術が開発されている。例えば、モニタ全体を１×１、２×２、３×３等のレイアウト枠で分割し、分割した枠（コマ）に対して操作者が選択した医用画像をレイアウトする技術が知られている。しかしながら、従来の方法では医用画像をレイアウトする際に操作者が予めレイアウト枠（コマ）の分割数やサイズを設定する必要があったり、設定したレイアウト枠（コマ）を呼び出す操作が必要であったりするため、操作が煩雑であった。
【０００３】
特許文献１には、対象画像のドラッグ操作及びドロップ操作によって指定した表示位置の座標値が属する領域区分を判別し、当該領域区分に対応する表示レイアウト情報に従って表示領域の分割数を変更したり、対象画像の配置位置を決定する等の技術が開示されている。
【先行技術文献】
【特許文献】
【０００４】
【特許文献１】ＷＯ２００７／１４１９９５
【発明の概要】
【発明が解決しようとする課題】
【０００５】
しかしながら、特許文献１の方法では、領域区分に対応する表示レイアウト情報がどのようなものかを操作中に確認できず、操作者はドラッグ操作及びドロップ操作を完了するまでは、変更後のレイアウトを確認できない。そのためどこに対象画像をドロップすれば所望のレイアウトを得ることができるかを、操作しながら認識することは困難であった。
【０００６】
本発明は、以上の問題点に鑑みてなされたものであり、医用画像を表示領域に配置する操作を行っている間にレイアウトの変更を可視化し、これにより医用画像をレイアウトしたりレイアウト枠（コマ）の分割数及びサイズを変更する操作を容易とし、操作者の負担を軽減することが可能な画像表示装置及び画像表示方法を提供することを目的とする。
【課題を解決するための手段】
【０００７】
前述した目的を達成するために第１の発明は、複数の医用画像を取得する医用画像取得部と、前記複数の医用画像のサムネイル画像を選択可能に表示するサムネイル画像表示領域と前記医用画像を表示する医用画像表示領域とを表示画面上に形成する表示部と、前記サムネイル画像の選択操作及び医用画像の配置位置を指示する操作である配置位置指示操作を入力する操作入力部と、前記操作入力部による前記医用画像表示領域内の指示位置に応じたレイアウト枠及び前記医用画像の配置位置を定義するレイアウト情報を予め保持する記憶部と、前記操作入力部の操作によりサムネイル画像を選択することで前記医用画像表示領域に表示する画像を選択する画像選択部と、前記操作入力部による画像選択操作後の配置位置指示操作中に、前記記憶部に記憶されたレイアウト情報に従って前記医用画像表示領域に前記レイアウト枠を表示するレイアウト枠表示部と、前記操作入力部による配置位置指示操作に応じて、前記医用画像表示領域内の指示位置に前記レイアウト枠に応じたサイズで前記医用画像を配置する画像配置部と、を備えることを特徴とする画像表示装置である。
【０００８】
第２の発明は、コンピュータが、複数の医用画像を取得するステップと、前記複数の医用画像のサムネイル画像を選択可能に表示するサムネイル画像表示領域と前記医用画像を表示する医用画像表示領域とを表示画面上に形成するステップと、前記サムネイル画像の選択操作及び医用画像の配置位置を指示する操作である配置位置指示操作を入力するステップと、サムネイル画像の選択操作により前記医用画像表示領域に表示する画像を選択するステップと、画像選択操作後の配置位置指示操作中に、記憶部に記憶されたレイアウト情報に従って前記医用画像表示領域に前記レイアウト枠を表示するステップと、配置位置指示操作に応じて、前記医用画像表示領域内の指示位置に前記レイアウト枠に応じたサイズで前記医用画像を配置するステップと、を含む処理を行うことを特徴とする画像表示方法である。
【発明の効果】
【０００９】
本発明により、医用画像を表示領域に配置する操作中にレイアウトの変更を可視化でき、これにより医用画像をレイアウトしたりレイアウト枠（コマ）の分割数及びサイズを変更する操作を容易とし、操作者の負担を軽減することが可能な画像表示装置及び画像表示方法を提供できる。
【図面の簡単な説明】
【００１０】
【図１】本発明に係る画像表示装置１００の構成を示す図
【図２】画像表示装置１００の機能構成を示す図
【図３】レイアウト枠３１（３１ａ，３１ｂ）について説明する図
【図４】医用画像表示領域５２の領域区分３２の一例
【図５】図４の領域区分３２に対応するレイアウト情報３０の一例
【図６】操作の流れと画面遷移例（領域（ａ）にドロップ操作した場合）
【図７】操作の流れと画面遷移例（領域（ｂ）にドロップ操作した場合）
【図８】操作の流れと画面遷移例（領域（ｆ）にドロップ操作した場合）
【図９】画像表示処理の流れを説明するフローチャート
【図１０】画像検索画面５５の一例
【図１１】初期表示画面の一例
【図１２】第２の実施の形態で使用する領域区分３２ｂの一例
【図１３】図１２の領域区分３２ｂに対応する複数のレイアウト情報３０Ａ，３０Ｂの例
【図１４】画像表示処理の流れを説明するフローチャート（第２の実施形態）
【図１５】レイアウト枠３１ｂの左上コマ内にレイアウト枠３１ｄを配置する例
【図１６】図１５のレイアウト枠３１ｄに画像が配置された状態を示す図
【図１７】レイアウト枠内にレイアウト枠を配置する例で使用する領域区分３２ｃの一例
【図１８】ピンチアウト操作時の画面遷移例
【図１９】ピンチアウト処理のレイアウト情報３０Ｃの一例
【図２０】レイアウト枠の交点をタッチ操作する場合のレイアウト枠結合の一例
【図２１】レイアウト枠の境界をタッチ操作する場合のレイアウト枠結合の一例
【図２２】レイアウト枠分割・結合処理の流れを説明するフローチャート（第３の実施形態）
【発明を実施するための形態】
【００１１】
以下図面に基づいて、本発明の実施形態を詳細に説明する。
まず、図１を参照して、本発明の画像表示装置１００を適用した医用画像表示システム１の構成について説明する。
【００１２】
図１に示すように、画像表示システム１は、表示装置１０７、入力装置１０９を有する画像表示装置１００と、画像表示装置１００にネットワーク１１０を介して接続される画像データベース１１１と、画像撮影装置１１２とを備える。
【００１３】
画像表示装置１００は、本発明に係る画像表示処理を行うコンピュータである。画像表示装置１００は、図１に示すように、ＣＰＵ（Ｃｅｎｔｒａｌ  Ｐｒｏｃｅｓｓｉｎｇ  Ｕｎｉｔ）１０１、主メモリ１０２、記憶装置１０３、通信インタフェース（通信Ｉ／Ｆ）１０４、表示メモリ１０５、マウス１０８等の外部機器とのインタフェース（Ｉ／Ｆ）１０６を備え、各部はバス１１３を介して接続されている。
【００１４】
ＣＰＵ１０１は、主メモリ１０２または記憶装置１０３等に格納されるプログラムを主メモリ１０２のＲＡＭ上のワークメモリ領域に呼び出して実行し、バス１１３を介して接続された各部を駆動制御し、画像表示装置１００が行う各種処理を実現する。
【００１５】
またＣＰＵ１０１は、医用画像を所定のレイアウトで表示する画像表示処理（図９参照）を実行する。画像表示処理の詳細については後述する。
【００１６】
主メモリ１０２は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等により構成される。ＲＯＭはコンピュータのブートプログラムやＢＩＯＳ等のプログラム、データ等を恒久的に保持している。また、ＲＡＭは、ＲＯＭ、記憶装置１０３等からロードしたプログラム、データ等を一時的に保持するとともに、ＣＰＵ１０１が各種処理を行う為に使用するワークエリアを備える。
【００１７】
記憶装置１０３は、ＨＤＤ（ハードディスクドライブ）や他の記録媒体へのデータの読み書きを行う記憶装置であり、ＣＰＵ１０１が実行するプログラム、プログラム実行に必要なデータ、ＯＳ（オペレーティングシステム）等が格納される。プログラムに関しては、ＯＳに相当する制御プログラムや、アプリケーションプログラムが格納されている。これらの各プログラムコードは、ＣＰＵ１０１により必要に応じて読み出されて主メモリ１０２のＲＡＭに移され、各種の手段として実行される。
【００１８】
通信Ｉ／Ｆ１０４は、通信制御装置、通信ポート等を有し、画像表示装置１００とネットワーク１１０との通信を媒介する。また通信Ｉ／Ｆ１０４は、ネットワーク１１０を介して、画像データベース１１１や、他のコンピュータ、或いは、Ｘ線ＣＴ装置、ＭＲＩ装置等の画像撮影装置１１２との通信制御を行う。
Ｉ／Ｆ１０６は、周辺機器を接続させるためのポートであり、周辺機器とのデータの送受信を行う。例えば、マウス１０８やスタイラスペン等のポインティングデバイスをＩ／Ｆ１０６を介して接続させるようにしてもよい。
【００１９】
表示メモリ１０５は、ＣＰＵ１０１から入力される表示データを一時的に蓄積するバッファである。蓄積された表示データは所定のタイミングで表示装置１０７に出力される。
【００２０】
表示装置１０７は、液晶パネル、ＣＲＴモニタ等のディスプレイ装置と、ディスプレイ装置と連携して表示処理を実行するための論理回路で構成され、表示メモリ１０５を介してＣＰＵ１０１に接続される。表示装置１０７はＣＰＵ１０１の制御により表示メモリ１０５に蓄積された表示データを表示する。
【００２１】
入力装置１０９は、例えば、キーボード等の入力装置であり、操作者によって入力される各種の指示や情報をＣＰＵ１０１に出力する。操作者は、表示装置１０７、入力装置１０９、及びマウス１０８等の外部機器を使用して対話的に画像表示装置１００を操作する。
【００２２】
ネットワーク１１０は、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、イントラネット、インターネット等の各種通信網を含み、画像データベース１１１やサーバ、他の情報機器等と画像表示装置１００との通信接続を媒介する。
【００２３】
画像データベース１１１は、画像撮影装置１１２によって撮影された画像データを蓄積して記憶するものである。図１に示す画像表示システム１では、画像データベース１１１はネットワーク１１０を介して画像表示装置１００に接続される構成であるが、画像表示装置１００内の例えば記憶装置１０３に画像データベース１１１を設けるようにしてもよい。
【００２４】
次に本発明に係る画像表示装置１００が備える機能について説明する。
図２は、画像表示装置１００の機能構成を示す図である。
図２に示すように、画像表示装置１００のＣＰＵ１０１は、記憶装置１０３に記憶されているプログラムを主メモリ１０２に読み出し実行することによって、医用画像取得部２１、画像選択部２２、レイアウト枠表示部２３、及び画像配置部２４等を実現する。また、記憶装置１０３（または主メモリ１０２）にはレイアウト情報３０が格納されている。
【００２５】
マウス１０８等の操作入力部からの操作に応じた入力信号は、Ｉ／Ｆ１０６を介してＣＰＵ１０１の画像選択部２２、レイアウト枠表示部２３、及び画像配置部２４に入力される。ＣＰＵ１０１はマウス１０８の移動操作に応じてマウスカーソルの位置情報、移動量及び移動方向等を算出する。またマウス１０８からはクリック操作、ドラッグ操作、ドロップ操作等の各種の操作信号が入力される。クリック操作とはマウスボタンを短く押して対象を指示する操作である。ドラッグ操作とはマウスボタンを押した状態で移動する操作である。ドロップ操作とはドラッグ操作中にマウスボタンの押下を停止し移動先の位置を決定する操作である。マウス１０８に代えてタッチパネルを操作入力部として使用する場合は、タッチ操作、ドラッグ操作、ドロップ操作の他、ピンチアウト操作やフリック操作等のタッチパネルに対応した操作を行うことが可能であり、各操作に応じた操作信号がＣＰＵ１０１に入力される。
【００２６】
医用画像取得部２１は、記憶装置１０３や画像データベース１１１等から医用画像を取得し、主メモリ１０２に記憶する。医用画像はＸ線診断装置、Ｘ線ＣＴ装置、ＭＲＩ装置、超音波装置等の各種医用画像撮影装置により生成されたものである。ＣＴ画像等であれば、１枚の断層像に対して複数の断層像群（シリーズ画像）が関連付けられているため、それらの関連画像も共に取得する。医用画像取得部２１は後述する画像検索画面５５（図１０参照）等を表示装置１０７に表示し、操作者が所望の医用画像を検索可能とすることが望ましい。
【００２７】
画像選択部２２は、表示装置１０７の表示画面５に形成される医用画像表示領域５２に表示する画像を選択する。画像を選択する操作は、例えば、マウス１０８による指示操作（クリック操作またはドラッグ操作）とする。
【００２８】
画像配置部２４は、画像選択部２２により選択された画像を、指示操作に続けて行われる配置位置指示操作（例えば、ドラッグ・アンド・ドロップ操作）に応じて、表示画面５の医用画像表示領域５２内の指示位置に配置する。
【００２９】
この配置位置指示操作中、レイアウト枠表示部２３は医用画像表示領域５２内に指示位置に応じたレイアウト枠３１を表示する。
【００３０】
ここでまず、表示装置１０７の表示画面５について説明する。
ＣＰＵ１０１は、表示装置１０７の表示画面５に医用画像のサムネイル画像を選択可能に表示するサムネイル画像表示領域５１と医用画像を表示する医用画像表示領域５２とを形成する（図６〜図８、図１１等参照）。
【００３１】
表示画面５のサムネイル画像表示領域５１には、医用画像取得部２１により取得した複数の医用画像のサムネイル画像が表示される。医用画像表示領域５２には、画像選択部２２により選択されたサムネイル画像（サムネイル画像表示領域５１において選択されたサムネイル画像）に対応する医用画像が閲覧可能に表示される。医用画像表示領域５２に表示される医用画像は、選択された医用画像とその関連画像を含むものとする。関連画像が複数ある場合、関連画像は選択された医用画像と同じ表示位置に重ねて表示されるか、或いは連続的に並べて表示される。関連画像をどのように表示するかは画像の種類や検査の目的等に応じて予め設定されているものとする。
【００３２】
レイアウト枠表示部２３は、画像選択部２２による画像選択操作後の画像配置位置指示操作中（ドラッグ操作中）に、レイアウト情報３０に従って医用画像表示領域５２にレイアウト枠３１を表示する。
【００３３】
レイアウト枠３１とは、図３に示すように、表示画面５の医用画像表示領域５２を所定の分割数のコマに分割するための枠線である。例えば、図３（ａ）に示すようにコマ数が「１×１」のレイアウト枠３１ａ（分割なし）や、図３（ｂ）に示すように縦横に「２×２」に分割されたレイアウト枠３１ｂ等がある。医用画像表示領域５２の分割数やどのレイアウト枠を使用するかは、レイアウト情報３０に定義されており、ドラッグ操作及びドロップ操作時のマウスカーソル４の位置（領域区分３２）に応じて決定される。領域区分３２とは、医用画像表示領域５２を複数の領域に区分した情報である。図４に領域区分３２の一例を示す。
【００３４】
図４に示す領域区分３２は、医用画像表示領域５２を１１の領域（ａ）〜（ｋ）に区分した例である。図４の領域区分３２は一例であり、この例に限定されず、別の位置で区分されていてもよい。
【００３５】
レイアウト情報３０には、図５に示すように、医用画像表示領域５２における領域区分３２と、使用するレイアウト枠３１、医用画像表示領域５２の分割数３３、及び画像の配置位置３４の情報が対応づけて定義されている。
【００３６】
例えば、図５に示すレイアウト情報３０には、領域区分（ａ）とレイアウト枠「１×１」と分割数「１×１」と配置位置「−」が対応付けられて保持されている。これは、図４に示す領域区分（ａ）の位置（医用画像表示領域５２の中央部）に選択中のサムネイル画像６１Ｓがドラッグ・アンド・ドロップ操作されると、図６に示すように「１×１」のレイアウト枠３１ａが使用され（図６（ｂ））、選択中のサムネイル画像６１Ｓに対応する医用画像６１及びその関連画像がコマ（レイアウト枠の１区分）のサイズに合わせて拡大または縮小されて配置される（図６（ｃ））ことを表している。
【００３７】
また図５に示すレイアウト情報３０では、領域区分（ｂ）とレイアウト枠「１×２」と分割数「１×２」と配置位置「上側」が対応付けられている。これは、図７に示すように、図４に示す領域区分の（ｂ）位置に選択中のサムネイル画像６１Ｓがドラッグ・アンド・ドロップ操作されると、「１×２」のレイアウト枠３１ｃが使用され（図７（ｂ））、選択中のサムネイル画像６１Ｓに対応する医用画像６１及びその関連画像が上側のコマに配置されることを示している（図７（ｃ））。
【００３８】
また図５に示すレイアウト情報３０では、領域区分（ｆ）とレイアウト枠「２×２」と分割数「２×２」と配置位置「左上」が対応付けられている。これは、図８に示すように、図４に示す領域区分の（ｆ）位置に選択中のサムネイル画像６１Ｓがドラッグ・アンド・ドロップ操作されると、「２×２」のレイアウト枠３１ｂが使用され（図８（ｂ））、選択中のサムネイル画像６１Ｓに対応する医用画像６１またはその関連画像が左上のコマに配置されることを示している（図８（ｃ））。
【００３９】
なお、レイアウト情報３０は、画像の種類や検査目的等に応じて複数用意され、記憶装置１０３に保持されていることが望ましい。例えば、同じＣＴ画像であっても例えば胸部と頭部のように検査の部位や目的とで異なるレイアウト情報を用意することが望ましい。この場合、レイアウト枠表示部２３及び画像配置部２４は、記憶装置１０３に記憶されている複数のレイアウト情報群から画像の種類または検査目的等に応じた適切なレイアウト情報３０を選択する。
【００４０】
図６（ｂ）、図７（ｂ）、図８（ｂ）に示すように、レイアウト枠表示部２３は、画像選択部２２による画像選択操作後の画像配置位置指示操作中（ドラッグ操作中）に、マウスカーソルの位置情報に基づきレイアウト情報３０に従って医用画像表示領域５２にレイアウト枠３１を表示する。ドラッグ操作によりマウスカーソルの位置が変更される都度、レイアウト枠表示部２３はレイアウト枠３１の表示を更新する。
【００４１】
ドラッグ操作中、レイアウト枠表示部２３は既に表示されている医用画像６０を元の画像サイズ及びレイアウトのまま半透明表示するようにしてもよい。半透明に表示することで、既に配置されている画像と新たに配置しようとする画像とを同時に確認できる。
【００４２】
またドラッグ操作中、レイアウト枠表示部２３はマウスカーソル４の位置情報に基づいてレイアウト情報に従って、仮にドロップ操作を行った場合の配置位置に各種の強調表示を行うようにしてもよい。強調表示とは例えば、配置位置を点滅表示させたり、ドラッグアイコンを配置位置へ移動するアニメーションを表示させたり等が考えられる。
【００４３】
画像配置部２４は、画像配置位置指示操作（例えば、ドラッグ・アンド・ドロップ操作）に応じて、医用画像表示領域５２内の指示位置に上述のレイアウト枠に応じたサイズで医用画像を配置する。医用画像表示領域５２に画像を配置した後、予め表示されていた元の画像６０は非表示としてもよいし、選択画像６１が配置されるコマとは別のコマに表示されるようにしてもよい。
【００４４】
次に、画像表示装置１００が実行する画像表示処理の手順について説明する。
画像表示装置１００のＣＰＵ１０１は、主メモリ１０２から図９に示す画像表示処理に関するプログラム及びデータを読み出し、このプログラム及びデータに基づいて処理を実行する。
【００４５】
なお、画像表示処理の実行開始に際して、処理対象とする医用画像データは画像データベース１１１等からネットワーク１１０及び通信Ｉ／Ｆ１０４を介して取り込まれ、画像表示装置１００の記憶装置１０３に記憶されているものとする。
【００４６】
まず画像表示装置１００のＣＰＵ１０１は、操作者のログイン処理を行う（ステップＳ１０１）。ＣＰＵ１０１は操作者のユーザ番号、ユーザ名、パスワード、或いは生体認証情報等のログイン情報の入力を受け付ける。ＣＰＵ１０１は、入力されたログイン情報に基づいて記憶装置１０３から操作者のユーザ名やユーザレベル等のユーザ情報を取得する。
【００４７】
次に、ＣＰＵ１０１は、記憶装置１０３から医用画像に関連する被験者情報及び検査情報等を含む画像情報を読出し（ステップＳ１０２）、図１０に示す画像検索画面５５のように表示装置１０７に一覧表示する（ステップＳ１０３）。被験者情報は、被験者番号、被験者名、性別、年齢、体重、身長、移動方法、入外区分、及び特記事項等の情報からなる。検査情報は、医師関連情報（依頼医師番号、依頼医師名、依頼科等）と、当該医師の希望する複数の医用画像に関する情報（画像番号、検査部位、検査日時、検査装置、検査部位、検査方法等）とからなる。
【００４８】
図１０に示す画像検索画面５５には、検索条件入力欄２０１、検索ボタン２０２、表示ボタン２０３、画像情報一覧表示欄２０４等が設けられる。
操作者により検索条件入力欄２０１の各検索項目や自由文検索項目に所望の医用画像に関する検索条件が入力され、検索ボタン２０２が押下されると、ＣＰＵ１０１は、入力された検索条件に該当する画像情報を記憶装置１０３から読出し、画像情報一覧表示欄２０４に一覧表示する。一覧表示された画像情報の中から画像情報が選択され、表示ボタン２０３が押下されると（ステップＳ１０４）、ＣＰＵ１０１は、操作者が選択した画像情報及び関連する医用画像を記憶装置１０３から読出し、医用画像に応じた初期表示条件に従って表示装置１０３の表示画面５に表示する（ステップＳ１０５）。
【００４９】
図１１は、２つの表示装置（左モニタ１０７ａ、右モニタ１０７ｂ）により構成される表示画面５ａの例を示している。例えば、左モニタ１０７ａ及び右モニタ１０７ｂにそれぞれ医用画像表示領域５２ａ，５２ｂが設けられ、左モニタ１０７ａの上部にサムネイル画像表示領域５１が設けられるものとする。ステップＳ１０４の画像選択処理において、ＣＴ画像等のように複数の関連画像を有する画像が選択された場合は、ＣＰＵ１０１はＣＴ画像の初期表示として、選択された画像の代表画像（例えば、先頭スライスのＣＴ画像）を左モニタ１０７ａの医用画像表示領域５２ａに配置し、関連画像（同じ検査で得たスライス位置の異なる画像等）を右モニタ１０７ｂの医用画像表示領域５２ｂに配置する。なお、図１１の初期表示のレイアウトは一例であり、これ以外のレイアウトでもよい。
【００５０】
表示画面５ａにおいて、サムネイル画像表示領域５１内のいずれかのサムネイル画像６１Ｓがドラッグ操作されると（ステップＳ１０６；Ｙｅｓ）、ＣＰＵ１０１はドラッグ操作中、マウスカーソル４の位置情報に基づいてレイアウト情報３０に従ってレイアウト枠３１（３１ａ，３１ｂ，３１ｃ等）を医用画像表示領域５２ａ，５２ｂのいずれかに表示する（ステップＳ１０７）。ステップＳ１０７の処理においてＣＰＵ１０１は、マウスカーソル４の位置情報から現在の領域区分３２を判別し、レイアウト情報３０を参照して現在指示されている領域区分３２に対応するレイアウト枠３１及び配置位置３４の情報を取得する。ＣＰＵ１０１は、取得した情報に従ってレイアウト枠３１（３１ａ，３１ｂ，３１ｃ等）をドラッグ操作中にマウスカーソル４がある医用画像表示領域５２ｂ（または５２ａ）に表示する。
【００５１】
ドラッグ操作中、マウスカーソル４が移動される都度、ＣＰＵ１０１は移動後のマウスカーソル４の位置情報から領域区分３２を判別し、レイアウト情報３０を参照して現在の領域区分３２に対応するレイアウト枠３１及び配置位置３４の情報を取得し、レイアウト枠３１の表示を更新する（ステップＳ１０８；Ｎｏ→ステップＳ１０６；Ｙｅｓ→ステップＳ１０７）。
【００５２】
なお、ドラッグ操作中、ＣＰＵ１０１はレイアウト枠３１を表示するとともに、既に表示されている医用画像６０を元の画像サイズ及びレイアウトのまま半透明表示するようにしてもよい。また、ＣＰＵ１０１はマウスカーソル４の位置情報に基づいてレイアウト情報３０に従って、仮にドロップ操作を行った場合の配置位置３４（コマ）の背景を点滅表示させたり、ドラッグアイコンを配置位置３４へ拡大移動するアニメーションを表示させたり、その他の各種の強調表示を行うようにしてもよい。
【００５３】
ドロップ操作が行われると（ステップＳ１０８；Ｙｅｓ）、ＣＰＵ１０１はドロップ時のマウスカーソル４の位置情報に基づいてレイアウト情報３０に従って選択中の医用画像６１をレイアウト枠３１内の配置位置３４に配置する（ステップＳ１０９）。このときＣＰＵ１０１は医用画像６１をレイアウト枠３１のコマに応じたサイズに拡大または縮小して配置する（ステップＳ１０９）。
【００５４】
選択された医用画像６１がＣＴ画像のように複数の関連画像を有する場合は、ステップＳ１０９の画像配置処理において、代表画像（例えば先頭スライスの画像）をレイアウト枠３１の所定の配置位置（コマ）３４に表示する。そしてマウスホイールを回転させるといった所定の操作に応じて順次関連画像を同じコマ内で切り替えて表示するようにしてもよい。
【００５５】
なお、医用画像表示領域５２（５２ａまたは５２ｂ）のレイアウト枠３１のコマ内に選択された医用画像６１を配置した場合、元々配置されていた医用画像６０は非表示としてもよいし、選択した医用画像６１が配置されたコマとは別のコマに表示してもよい。
【００５６】
その後、別のサムネイル画像のドラッグ操作が行われると（ステップＳ１０６；Ｙｅｓ）、ＣＰＵ１０１はステップＳ１０７〜ステップＳ１０９の処理を繰り返し実行する。すなわち、ＣＰＵ１０１はドラッグ操作中のマウスカーソル４の位置情報に基づいてレイアウト情報３０に従って医用画像表示領域５２にレイアウト枠３１を表示する。またドロップ操作が行われるとドロップ時のマウスカーソル４の位置情報に基づいてレイアウト情報３０に従ってレイアウト枠３１を表示し、レイアウト枠３１の所定の配置位置３４に選択中の医用画像を配置する。
【００５７】
サムネイル画像に対してドラッグ操作が行われない場合は（ステップＳ１０６；Ｎｏ）、図９に示す一連の画像表示処理を終了する。
【００５８】
以上説明したように本発明に係る画像表示装置１００は、複数の医用画像を記憶装置１０３等から取得し、表示画面５に形成されたサムネイル画像表示領域５１内にサムネイル画像を並べて表示する。表示画面５には、サムネイル画像表示領域５１の他に医用画像を閲覧可能に表示する医用画像表示領域５２が形成される。マウス１０８等の操作入力部によって、選択されたサムネイル画像が医用画像表示領域５２内にドラッグ操作されると、ＣＰＵ１０１は医用画像表示領域５２内の指示位置（マウスカーソル４の位置）に応じたレイアウト枠３１をレイアウト情報３０に基づいて表示する。また操作入力部により画像配置位置指示操作（ドロップ操作）が行われると、医用画像表示領域５２内の指示位置（マウスカーソルの指示位置）に応じたコマ（配置位置３４）にレイアウト枠３１に応じたサイズで選択中の医用画像を配置する。
【００５９】
マウス１０８による指示位置（領域区分３２）と使用するレイアウト枠３１と医用画像の配置位置３４とが対応付けられてレイアウト情報３０として予め定義され、記憶装置１０３に保持されているため、操作者はレイアウト枠３１の分割数の設定や画像サイズの設定を行う必要がない。また設定した分割数等に対応するレイアウト枠３１を呼び出すための操作が行われなくても、マウスのドラッグ・アンド・ドロップ操作でレイアウト枠の変更及び画像の配置を行える。更に、本発明によれば、ドラッグ操作中にマウスカーソル４の位置に応じたレイアウト枠が表示されるため、ドロップ操作を行う前にドロップ操作後のレイアウトを想起しやすくなる。そのため、操作者は簡単な操作で円滑に医用画像を様々なレイアウト枠に配置し、閲覧することが可能となる。
【００６０】
［第２の実施の形態］
次に、図１２〜図１７を参照して本発明の第２の実施の形態について説明する。
第２の実施の形態において、ＣＰＵ１０１は図１２に示す領域区分３２ｂ及び図１３に示す複数のレイアウト情報３０Ａ,３０Ｂを使用して、図１４に示す手順で画像表示処理を行う。なお、図１２の領域区分３２ｂや、図１３のレイアウト情報は一例であり、その他の領域区分及びレイアウト情報を使用してもよい。
【００６１】
第２の実施の形態において、画像表示装置１００の記憶装置１０３は複数のレイアウト情報３０Ａ，３０Ｂを保持する。レイアウト枠表示部２３は、操作入力部２５の操作量（マウスカーソル４の移動速度、移動方向、移動量、またはマウスジェスチャー等の軌跡）に応じて適用するレイアウト情報３０を切り替える。例えば、ゆっくりドラッグ操作を行う場合と速くドラッグ操作を行う場合とで異なるレイアウト情報を使用する。
【００６２】
図１２に示す領域区分３２ｂは、図４に示す第１の実施の形態の領域区分３２と比較して領域（ａ）、（ｊ）、（ｋ）、（ｌ）、（ｍ）、（ｎ）の位置が異なる。また、図１２の領域区分３２ｂを使用するレイアウト情報３０Ａ，３０Ｂは、上述の領域（ａ）、（ｊ）、（ｋ）、（ｌ）、（ｍ）、（ｎ）において、操作の仕方に応じて異なる処理（レイアウト情報）が適用される。例えば、図１３のレイアウト情報３０Ａ，３０Ｂでは、領域（ａ）、（ｊ）、（ｋ）、（ｌ）、（ｍ）、（ｎ）においてそれぞれ異なる分割数、レイアウト枠、及び配置位置が定義されている。
【００６３】
例えば、通常のドラッグ操作ではＣＰＵ１０１はレイアウト情報３０Ａを使用してレイアウト枠の表示や画像の配置等の処理を行うものとする。そしてドラッグ操作中にマウスカーソルの移動量が所定の時間停止したり、ゆっくり移動した場合（マウスカーソルの移動量が予め設定した閾値より少なくなった場合）は処理Ｂへ移行する。処理ＢではＣＰＵ１０１はレイアウト情報３０Ｂを使用して、レイアウト枠の表示や画像の配置等の処理を行うものとする。
【００６４】
図１４を参照して、第２の実施の形態の処理の流れを説明する。
図１４のフローチャートにおいて、ステップＳ２０１〜ステップＳ２０５の処理は第１の実施の形態のステップＳ１０１〜ステップＳ１０５の処理と同様であるので説明を省略する。また、表示画面５（５ａ）の構成も第１の実施の形態と同様に、サムネイル画像表示領域５１と医用画像表示領域５２（５２ａ，５２ｂ）が設けられる。
【００６５】
例えば図１１に示す表示画面５ａにおいて、サムネイル画像表示領域５１内のサムネイル画像が医用画像表示領域５２（５２ａ，５２ｂ）内にドラッグ操作されると（ステップＳ２０６；Ｙｅｓ）、ＣＰＵ１０１は、マウスカーソル４の移動速度に応じた処理を選択する。
【００６６】
すなわち、ドラッグ操作中のマウスカーソル４の移動速度が予め設定された閾値Ｈ以上であれば（ステップＳ２０７；Ｎｏ）、ＣＰＵ１０１は処理Ａを選択する（ステップＳ２０８）。処理Ａはレイアウト情報３０Ａに基づくレイアウト枠表示処理及び画像配置処理である（ステップＳ２０９〜ステップＳ２１１）。
【００６７】
一方、ドラッグ操作中、マウスカーソル４が停止または停止に近い速度で移動された状態（移動速度が予め設定された閾値Ｈより小さい状態）の場合は（ステップＳ２０７；Ｙｅｓ）、ＣＰＵ１０１は処理Ｂを選択する（ステップＳ２１２）。処理Ｂはレイアウト情報３０Ｂに基づくレイアウト枠表示処理及び画像配置処理である（ステップＳ２１３〜ステップＳ２１５）。
【００６８】
処理Ａでは、ＣＰＵ１０１はマウスカーソル４の位置情報から現在の領域区分３２を判定し、レイアウト情報３０Ａを参照して現在の領域区分３２に対応するレイアウト枠３１及び配置位置３４の情報を取得する。ＣＰＵ１０１は、取得したレイアウト枠３１を、ドラッグ操作中に医用画像表示領域５２ａ（または５２ｂ）に表示する。レイアウト情報３０Ａでは、例えば「１×１」、「１×２」、「２×１」、「２×２」、「３×１」、「１×３」のレイアウト枠３１が医用画像表示領域５２ｂに表示される。
【００６９】
処理Ｂでは、ＣＰＵ１０１はマウスカーソル４の位置情報から現在の領域区分３２を判定し、レイアウト情報３０Ｂを参照して現在の領域区分３２に対応するレイアウト枠３１及び配置位置３４の情報を取得する。ＣＰＵ１０１は、取得したレイアウト枠３１を、ドラッグ操作中に医用画像表示領域５２ａ（または５２ｂ）に表示する。レイアウト情報３０Ｂでは、例えば「１×１」、「１×２」、「２×１」、「２×２」、「３×３」のレイアウト枠３１が医用画像表示領域５２ｂに表示される。
【００７０】
処理Ａまたは処理Ｂにおいて、ドラッグ操作中、所定時間経過毎にＣＰＵ１０１はステップＳ２０７の処理へ戻り（ステップＳ２１０；Ｎｏ、ステップＳ２１４；Ｎｏ）、マウスカーソル４の移動速度を判定する。そして判定結果に応じて処理Ａまたは処理Ｂのいずれかを選択し、移動後のマウスカーソル４の位置情報に応じてレイアウト枠３の表示を更新する。
【００７１】
なお、ドラッグ操作中は、ＣＰＵ１０１は既に表示されている医用画像６０を元の画像サイズ及びレイアウトのまま半透明表示するようにしてもよい。また、ＣＰＵ１０１はマウスカーソル４の位置情報に基づいてレイアウト情報に従って、仮にドロップ操作を行った場合の配置位置の背景を点滅表示させたり、ドラッグアイコンを配置位置へ拡大移動するアニメーションを表示させたり、その他の各種の強調表示を行うようにしてもよい。
【００７２】
ドロップ操作が行われると（ステップＳ２１０；Ｙｅｓ、ステップＳ２１４；Ｙｅｓ）、ＣＰＵ１０１はドロップ時のマウスカーソル４の位置情報に基づいてレイアウト情報３０Ａまたは３０Ｂに従って選択中の医用画像をレイアウト枠内に配置する（ステップＳ２１１、ステップＳ２１５）。このときＣＰＵ１０１は選択中の医用画像をレイアウト枠に応じたサイズに拡大または縮小して配置する。
【００７３】
選択された医用画像がＣＴ画像等のように複数の画像と関連付けられている場合は、ステップＳ２１１及びステップＳ２１５の画像配置処理では、レイアウト情報３０Ａまたは３０Ｂに従って代表とする画像（例えば１枚目のスライス）を該当するレイアウト枠に表示する。更に、例えばマウスホイールを回転させる等の所定の操作に応じて、順次代表画像に関連する画像を同じレイアウト枠内に切り替え表示することが望ましい。
【００７４】
なお、医用画像表示領域５２のレイアウト枠３１内に選択した医用画像を配置した後、元々配置されていた医用画像６０は非表示としてもよいし、選択した医用画像が配置されたコマとは別の何も表示されていないコマに移動して表示されてもよい。
【００７５】
別のサムネイル画像のドラッグ操作が行われると（ステップＳ２０６；Ｙｅｓ）、ＣＰＵ１０１はステップＳ２０７〜ステップＳ２１５の処理を繰り返す。すなわち、ＣＰＵ１０１はドラッグ操作中のマウスカーソルの移動速度に応じて処理Ａまたは処理Ｂのいずれかを選択し、選択した処理（レイアウト情報）に従ってマウスカーソル４の位置情報に対応するレイアウト枠３１を表示する。またドロップ操作が行われるとドロップ時のマウスカーソル４の位置情報に基づいてレイアウト枠３１を表示し、レイアウト枠３１内に選択中の医用画像を配置する。
【００７６】
サムネイル画像に対してドラッグ操作が行われない場合は（ステップＳ２０６；Ｎｏ）、図１４に示す一連の処理を終了する。
【００７７】
例えば、サムネイル画像をドラッグ操作中に図１２に示す領域区分３２ｂの（ａ）の位置にマウスカーソル４が移動される場合、通常の速度でドラッグ操作を行って（ａ）位置でドロップ操作を行えば、処理Ａ（レイアウト情報３０Ａ）が選択されて「１×１」のレイアウト枠を使用することができる。また、同じ領域区分３２ｂの（ａ）の位置へドラッグ操作を行った状態で移動を停止させると、処理Ｂ（レイアウト情報３０Ｂ）が選択されて「３×３」のレイアウト枠を使用することができる。
【００７８】
以上説明したように、第２の実施の形態の画像表示装置１００は、ドラッグ操作の操作量に応じて異なるレイアウト情報を選択し、選択したレイアウト情報に基づいて医用画像を配置することが可能となる。これによりマウスカーソル４が指示する位置が同じであっても、操作の仕方（操作量）を変えるだけで異なるレイアウト枠に変更できる。
【００７９】
なお、上述の処理においてステップＳ２０７の判定処理では、マウスの移動速度に基づいて判定を行ったが移動速度に限定されず、マウスの移動方向や特別の操作（例えば、ドラッグ中に円等の軌跡を描くといったマウスジェスチャー）等に基づいて、異なる処理を選択するようにしてもよい。また、操作量（移動速度、移動方向、或いは操作の仕方等を含む）に対する閾値を３つ以上設けるとともに異なるレイアウト情報を保持することで、上述の処理Ａ、処理Ｂに加え、処理Ｃ，処理Ｄ、…のようにより多くの処理を追加できる。
【００８０】
また、第１及び第２の実施の形態では、医用画像表示領域５２全体に対して領域区分を設定し、領域区分に対応するレイアウト枠を配置することとしているが、既に決定しているレイアウト枠内に更にレイアウト枠を配置することとしてもよい。例えば、図１５に示すように右モニタ１０７ｂの医用画像表示領域５２ｂに「２×２」のレイアウト枠３１ｂが既に配置されている状態で、操作者が新たにサムネイル画像をドラッグして右モニタ１０７ｂの医用画像表示領域５２ｂの左上コマの左上領域にマウスカーソル４を移動させると、ＣＰＵ１０１はマウスカーソル４の位置情報に基づいて左上コマを更に「２×２」のレイアウト枠３１ｄで分割する。そしてドロップ操作が行われると、ＣＰＵ１０１は図１６に示すように、サムネイル画像６１Ｓに関連する１つまたは複数の医用画像６１ａ、６１ｂをレイアウト枠３１ｄに応じたサイズで配置するようにしてもよい。この図１５及び図１６の例で使用する領域区分３２ｃを図１７に示す。領域区分３２ｃに対応するレイアウト枠はレイアウト情報として記憶装置１０３に保持されているものとする。
【００８１】
［第３の実施の形態］
次に、図１８〜図２２を参照して本発明の第３の実施の形態について説明する。
近年、表示装置と入力装置とが一体化したタッチパネルを搭載したタブレット等の電子機器が広く利用されている。タッチパネルでは、手指やタッチペン等によるタッチ操作によりマウスのクリック操作と同等の操作を行ったり、ドラッグ・アンド・ドロップ操作と同等の操作を行うことが可能である。従って、第１及び第２の実施の形態と同様の画像表示処理をこの種の電子機器にも適用可能である。更に、タッチパネルに特有の操作方法を利用して、第１または第２の実施形態とは異なる処理を追加することも可能である。例えば、「ピンチアウト操作」といったタッチパネルに特有の操作に応じた画像表示処理を、第１または第２の実施の形態の処理に追加することが可能である。ピンチアウト操作とは、２本の指を同じ領域に乗せた後に領域を広げるように指を離していく操作である。
【００８２】
第３の実施の形態において画像表示装置１００のＣＰＵ１０１は、タッチパネルにおけるピンチアウト操作に応じた処理を実行する。ピンチアウト操作に応じた処理（以下、ピンチアウト処理という）は、例えばレイアウト枠の増設処理である。具体的には図１８に示すように、表示画面の医用画像表示領域５２にレイアウト枠が表示された状態で操作入力部（タッチパネル）により隣接するレイアウト枠の交点位置でピンチアウト操作が行われると（図１８（ａ）、（ｂ））、画像表示装置１００のＣＰＵ１０１は、レイアウト枠を変更し、分割数を増やす（レイアウト枠増設処理部；図１８（ｃ））。
【００８３】
図１９はピンチアウト処理において使用するレイアウト情報３０Ｃの一例である。記憶装置１０３には図１９に示すようなピンチアウト処理で使用するレイアウト情報３０Ｃが格納される。ＣＰＵ１０１は、タッチパネル（操作入力部）においてピンチアウト操作が開始されると、記憶装置１０３からレイアウト情報３０Ｃを読出し、レイアウト情報３０Ｃに従ってレイアウト枠を増設する。
【００８４】
図１９に示すレイアウト情報３０Ｃは、図１２に示す領域区分３２ｂに対応するものである。初期画像表示領域のレイアウト枠の交点に該当する領域（ａ）においてピンチアウト処理が行われると、ＣＰＵ１０１は「３×３」のレイアウト枠に変更し、医用画像表示領域５２に表示されていた各医用画像を「３×３」のレイアウト枠の各コマのサイズに縮小して再配置する（図１８の例）。また例えば、初期画像表示領域のレイアウト枠の境界に該当する領域（ｌ）においてピンチアウト処理が行われると、ＣＰＵ１０１は「１×３」のレイアウト枠に変更し、医用画像表示領域に表示されていた各医用画像を「１×３」のレイアウト枠の各コマのサイズに縮小して再配置する。
【００８５】
また図２０及び図２１に示すように、画像表示装置１００のＣＰＵ１０１は、表示画面の医用画像表示領域５２にレイアウト枠３１が表示された状態で操作入力部（タッチパネル）によりレイアウト枠３１の交点や境界が指示（タッチ操作）されると、指示された交点または境界に隣接するレイアウト枠を結合するようにしてもよい（レイアウト枠結合処理部）。ＣＰＵ１０１は、結合されたレイアウト枠に対応するサイズで該レイアウト枠内に医用画像を配置する。
【００８６】
図２２は、レイアウト枠の増設・結合処理の手順を示すフローチャートである。
なお、図２２に示す処理の開始時には表示画面の医用画像表示領域５２には、初期表示として例えば「２×２」のレイアウト枠が配置され、各レイアウト枠内に医用画像が表示されているものとする（図１８（ａ）の表示状態）。
【００８７】
タッチパネルからレイアウト枠の交点をタッチ（指示）する信号が入力されると（ステップＳ３０１；Ｙｅｓ）、ＣＰＵ１０１はピンチアウト操作であるか否かを判定する（ステップＳ３０２）。ピンチアウト操作が行われると（ステップＳ３０２；Ｙｅｓ）、ＣＰＵ１０１はピンチアウト処理に対応するレイアウト情報３０Ｃに従ってレイアウト枠を分割（増設）する（ステップＳ３０３）。ＣＰＵ１０１は、増設後のレイアウト枠のサイズに合わせて、現在表示中の画像を再配置する（ステップＳ３０４）。例えば、図１８（ｃ）に示すように、表示中の画像を外側の各コマに再配置する。
【００８８】
ステップＳ３０２の判定においてピンチ操作が行われず、タッチ操作である場合（ステップＳ３０２；Ｎｏ→ステップＳ３０５；Ｙｅｓ）、ＣＰＵ１０１は指示された位置に隣接する各コマを結合する（ステップＳ３０６）。ＣＰＵ１０１は、結合後のレイアウト枠のサイズに合わせて、現在表示中の画像を再配置する（ステップＳ３０７）。
【００８９】
例えば、図２０に示すように、４つのレイアウト枠（コマ）の交点においてタッチ操作が行われた場合は、交点に隣接する４コマを結合して１つのコマとする。また、元のレイアウト枠内に表示されていた画像を新たなコマのサイズに合わせて拡大し、再配置する。また例えば、図２１に示すように、２つのレイアウト枠（コマ）の境界においてタッチ操作された場合は、境界に隣接する２コマを結合して１つのコマとする。また、元のレイアウト枠内に表示されていた画像を新たなコマのサイズに合わせて拡大し、再配置する。
【００９０】
なお、上述の例では、交点や境界に対する操作の好適な一例としてピンチアウト操作またはタッチ操作としているが、その他の操作に対して上述のレイアウト枠増設処理またはレイアウト枠結合処理を適用してもよい。また、ピンチアウト操作またはタッチ操作とは異なる他の操作（フリック操作等）に対して、更に処理を追加することも可能である。
【００９１】
以上説明したように、第３の実施の形態によれば、表示画面５にレイアウト枠が表示された状態で操作入力部により隣接するレイアウト枠の交点または境界に対して所定の操作が行われると、ＣＰＵ１０１はその交点または境界付近にレイアウト枠を増設する。或いは、レイアウト枠が表示された状態で前記操作入力部により前記レイアウト枠の交点または境界に対して所定の操作が行われると、ＣＰＵ１０１はその交点または境界に隣接するレイアウト枠を結合する。そしてＣＰＵ１０１は増設または結合された各レイアウト枠に対応するサイズで該レイアウト枠内に医用画像を配置する。
【００９２】
これにより、直感的かつ簡単な操作でレイアウト枠を増設したり結合したりすることが可能となるため、円滑に画像閲覧操作を行えるようになる。
【００９３】
以上、添付図面を参照しながら、本発明に係る画像表示装置の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００９４】
１・・・・・・・・・画像表示システム
１００・・・・・・・画像表示装置
１０１・・・・・・・ＣＰＵ１０１
１０２・・・・・・・主メモリ
１０３・・・・・・・記憶装置
１０４・・・・・・・通信Ｉ／Ｆ
１０５・・・・・・・表示メモリ
１０６・・・・・・・Ｉ／Ｆ
１０７・・・・・・・表示装置
１０８・・・・・・・マウス
１０９・・・・・・・入力装置
１１０・・・・・・・ネットワーク
１１１・・・・・・・画像データベース
１１２・・・・・・・画像撮影装置
２１・・・・・・・・医用画像取得部
２２・・・・・・・・画像選択部
２３・・・・・・・・レイアウト枠表示部
２４・・・・・・・・画像配置部
３０，３０Ａ，３０Ｂ，３０Ｃ・・・レイアウト情報
３１，３１ａ，３１ｂ，３１ｃ・・・レイアウト枠
３２，３２ｂ,３２ｃ・・・・領域区分
３３・・・・・・・・分割数
３４・・・・・・・・配置位置
４・・・・・・・・・マウスカーソル
５，５ａ・・・・・・・・・表示画面
５１・・・・・・・・サムネイル画像表示領域
５２，５２ａ，５２ｂ・・・医用画像表示領域
５５・・・・・・・・・画像検索画面
６１Ｓ・・・・・・・・選択されたサムネイル画像
６０・・・・・・・・・表示されていた医用画像
６１・・・・・・・・・選択された医用画像
【図１】
2015208602.tif 000003
【図２】
2015208602.tif 000004
【図３】
2015208602.tif 000005
【図４】
2015208602.tif 000006
【図５】
2015208602.tif 000007
【図６】
2015208602.tif 000008
【図７】
2015208602.tif 000009
【図８】
2015208602.tif 000010
【図９】
2015208602.tif 000011
【図１０】
2015208602.tif 000012
【図１１】
2015208602.tif 000013
【図１２】
2015208602.tif 000014
【図１３】
2015208602.tif 000015
【図１４】
2015208602.tif 000016
【図１５】
2015208602.tif 000017
【図１６】
2015208602.tif 000018
【図１７】
2015208602.tif 000019
【図１８】
2015208602.tif 000020
【図１９】
2015208602.tif 000021
【図２０】
2015208602.tif 000022
【図２１】
2015208602.tif 000023
【図２２】
2015208602.tif 000024